(57)【要約】【課題】自動車運転時等において随時、車両シートに取り付け背広を脱ぐ面倒もなく、背広背面の裾のしわを防止する。【解決手段】背広の裾部が差し入れられる空間を構成するＵ字状の部材よりなる基体２と、該基体２の後面側に配設され、下端に車のシートに差し込む爪片３備え、前記基体１を回動可能に連結保持する腰パネル基板１よりなり、前記Ｕ字状基体２の前面側はクッション材７が取着されて腰当てパネルを形成すると共に、前記腰パネル基板１には上部後面側に間隔片５を介して補強板４付きカバー部材９が上方へ延設され、間隔片５上部で該カバー部材４と前記Ｕ字状基体２の腰パネル基板側内面より延出されるカバー部材１２との間に背広背面１３を押えるクッション材１０，１１が介装された構成である。【選択図】    図１
0003111636.tif 000002
【実用新案登録請求の範囲】
【請求項１】
車のシートの背もたれ部に取り付け、乗員の背広背面の裾部のしわを防止するしわ防止具であって、背広の裾部が差し入れられる空間を構成するＵ字状の部材よりなる基体と、該基体の後面側に配設され、下端に車のシートに差し込む爪片を備え、前記基体を回動可能に連結保持する腰パネル基板よりなり、前記Ｕ字状基体の前面側はクッション材が取着されて腰当てパネルを形成すると共に、前記腰パネル基板には上部後面側に間隔片を介して補強板付きカバー部材が上方へ延設され、間隔片上部で該カバー部材と前記Ｕ字状基体の腰パネル基板側内面より上方に延出されるカバー部材との間に背広背面を押えるクッション材が介装され構成されていることを特徴とする車両シートにおける背広背面のしわ防止具。
【請求項２】
間隔片上部で前後のカバー部材間に介装されるクッション材が後面側のやや固めのクッション材と前面側の比較的柔らかめのクッション材との２層よりなる請求項１記載の車両シートにおける背広背面のしわ防止具。
【考案の詳細な説明】
【技術分野】
【０００１】
本考案は車両シートの背もたれ部に取り付け、取り外し自在な背広背面のしわ防止具に係り、特に自動車等の車両運転時においてシートに取り付け、発生し易い背広あるいはスーツ等(以下、単に背広という)背面の裾のしわを防止するようにした上記しわ防止具に関するものである。
【背景技術】
【０００２】
自動車の普及と共に自動車運転人口が年々増加し、特に近時は男女を問わず運転免許を取得する人口の増加は著しいものがある。
【０００３】
ところで、これら自動車の運転に際して、運転者の服装は特に制約されるものではなく、通常、男性は背広、女性はスーツを着て自動車を運転しているが、男性が背広を着て、また女性がスーツを着て自動車を運転するとき、往々にしてシートに対面する背広あるいはスーツ等の背部の裾がしわになるのが気になる。
【０００４】
特にシートベルトを装着するようになってから、ますます背広あるいはスーツ背面の裾がしわになるようになった。
【０００５】
従来はこのように背面がしわになるのを嫌って運転するたびに背広を脱いで運転しているのを見受けるが、背広を脱いで運転することは面倒のみならず春〜秋はまだしも冬は寒さを免れない。
【０００６】
一方、ハンガーを不要とするため椅子の背もたれを二重構造にして裏面側の背もたれを背広掛けとしたものが提案されている(例えば特許文献１参照)が、このものは自動車用の椅子ではなく、また、自動車用椅子として用いるには適していない。
【０００７】
そこで、本考案者は上述の如き実状に着目し、さきに車両用椅子として背もたれ部に腰当てを付設することにより、車運転時に背広を脱ぐ面倒がなくなり、背広背面の裾をしわにすることなく運転できると共に、降車時は今までと同じく自然体で降りることができる車両用椅子を提案した。(特願２００４−１０２５４８)
【特許文献１】特開２００２−５１８７３号公報
【考案の開示】
【考案が解決しようとする課題】
【０００８】
ところが、上記提案に係る車両用椅子は、シートの背もたれ部に窪みを形成するなど、シートの改良が必要であることから、更に工夫の余地があった。
【０００９】
本考案は上述の如き実状から背もたれを一体に有する構成とすると共に、クッション性を良好とすることにより乗り心地をよくし、背広背面の裾のしわを気にすることなく快適な運転を可能とすることを目的とするものである。
【課題を解決するための手段】
【００１０】
即ち、上記目的に適合する本考案の特徴は、車のシートの背もたれ部に取り付け、乗員の背広背面の裾部のしわを防止するしわ防止具であって、背広の裾部が差し入れられる空間を構成するＵ字状の部材よりなる基体と、該基体の後面側に配設され、下端に車のシートに差し込む爪片を備え、前記基体を回動可能に連結保持する腰パネル基板よりなり、前記Ｕ字状基体の前面側はクッション材が取着されて腰当てパネルを形成すると共に、前記腰パネル基板には上部後面側に間隔片を介して補強板付きカバー部材が上方へ延設され、間隔片上部で該カバー部材と前記Ｕ字状基体の腰パネル基板側内面より上方へ延出されるカバー部材との間に背広背面を押えるクッション材が介装されている構成にある。
【００１１】
なお、間隔片上部で前後のカバー部材間に介装されるクッション材は後面側のやや固めのクッション材と前面側の比較的柔らかいクッション材との２層により形成することが好適である。
【考案の効果】
【００１２】
上記本考案しわ防止具は、自動車運転時等において、爪片により車両のシートに取り付けてＵ字状基体を前方に回動してＵ字状空間内に背広の裾を差し込み、その後、後方に回動して同空間内に背広の裾を保持し、運転するときは背広背面の裾がしわにならず、しかも一定の同空間内に保持されて、姿勢正しく運転することができる。
【００１３】
これにより運転する度に背広の裾のしわを心配することもなく、またしわを心配して背広を脱ぐ面倒もなくなる。また、腰パネル基板より上方に延びるカバー部材間に硬，軟のクッション材が介装されていることから、背広背面は該クッションで押えられ、安定が保たれて本考案しわ防止具を車両シートの背もたれに快適に保持することができる。
【考案を実施するための最良の形態】
【００１４】
以下、更に本考案の実施の形態を添付図面に従って説明する。
【００１５】
図１，図２は本考案に係るしわ防止具であり、図１は背広背面の裾を入れる腰当てパネル基体を起した普通状態図、図２は図１の下部拡大図で、背広背面の裾を入れるため腰当てパネル基体を倒した状態図であり、図３は上記しわ防止具の車両シートへの取付状態図である。
【００１６】
これら図１，図２において、１は腰パネル基板、２は背広背面の裾部１３が差し入れられる空間を構成する基体であり、該基体２は常に一定の空間を保持できるようＵ字状部材で形成され、その前面側において補強板６を介してクッション材７が取り付けられ、腰当てパネルを形成している。
【００１７】
なお、上記基体２は強度部材として通常、金属材料により作られている。
【００１８】
一方、前記腰パネル基板１は上記Ｕ字状基体２の後面側において、例えば蝶番８などにより前記基体２を回動可能に連結保持せしめていて、その下端に車両シートに差し込むための爪片３が設けられている。
【００１９】
そして、この腰パネル基板１は腰パネルの４０〜６０Ｋｇ位の圧力の土台をなすため、前記基体２と同じく金属等の強度部材で作られていて、その後面側の上部に間隔片５を介して上方へ延びる補強板４付き圧力カバー部材９が取り付けられている。
【００２０】
なお、上記腰パネル基板１は基体２前面の腰当てパネルの補強板６に対し長いと腰の圧力で背広背面に横じわが入る原因となるので、やや短くするのが好ましい。
【００２１】
しかして、上記構成において腰パネル基体１には更に間隔片５を介して上方へ延設された補強板４とこれに併設されたカバー部材９があり、前記Ｕ字状基体１の腰パネル基板側内面より前記補強板４に対向して上方へ延設されているカバー部材１２との間に背広背面を押えるクッション材１０，１１が介装されている。
【００２２】
この場合、クッション材はやや柔らかめのクッション材１１と、やや固めのクッション材１０との２層とすることが好適である。
【００２３】
即ち、腰当てパネルのクッション材７で腰を押えると共に、柔らかめのクッション材１１で背広背面を押えると、やや固めのクッション材１１で止まることになり、腰当てパネル６の保護が外れても背広背面の上部はしわになることが防止される。
【００２４】
本考案は以上のようにして構成されており、Ｕ字状基体の大きさ，Ｕ字状空間の広さは余り広すぎては運転中に違和感を感じ易いので好ましくなく、また余り狭すぎては背広背面が挿入し難く、適度な大きさ，広さを選定することは勿論である。
【００２５】
また、車両シートに取り付け使用する関係上、腰パネルの圧力に耐えれば可及的軽量化を図ることが好ましい。
【００２６】
図３は上記本考案しわ防止具Ａを車両シートＳに取り付けて使用している状態である。この取り付け状態においては本考案しわ防止具を使用するときは、先ず図２に示すようにＵ字状基体１を腰パネル基板１に対し、手動により回動させて前方へ少し倒し、背もたれと背中の間に基体１のＵ字状空間を作り、両手で背広背面の裾を引っ張って該空間に入れながらＵ字状基体を腰パネル基板１に対し回動させて図１の元の状態に戻し、U字状空間内で裾を保持せしめ運転姿勢にして自動車を運転する。この操作時間は通常２秒位である。
【００２７】
以上のようにして運転することにより背広はを脱ぐ面倒がなく、背広背面の裾部のしわを阻止することができ、頗る効果的である。
【図面の簡単な説明】
【００２８】
【図１】本考案に係るしわ防止具の普通状態側面図である。
【図２】図１における腰パネル前倒し状態の側面図である。
【図３】本考案しわ防止具を車両シートに取り付けた状態図である。
【符号の説明】
【００２９】
１：腰パネル基板
２：Ｕ字状基体
３：差し込み爪片
４：補強板
５：間隔片
６：腰当て部補強板
７：クッション材
８：蝶番
９：かバー部材
１０：やや固めのクッション
１１：やや柔らかめのクッション
１２：カバー部材
１３：背広背面の裾
【図１】
0003111636.tif 000003
【図２】
0003111636.tif 000004
【図３】
0003111636.tif 000005